(57)【要約】【課題】物理吸着性能を有する吸着剤を用いた脱臭体では、吸着能力が低下してきた場合には、脱臭体の交換をする手間とコストがかかり、利便性が悪かった。また脱臭体では、再生のために天日に干すか、紫外光を発生する光源を必要とするため、手間やコストがかかるという課題を有していた。本発明は、前記従来の課題を解決するもので、交換やメンテナンスの手間を無くし、利便性を向上させた空気調和機を提供することを目的とする。【解決手段】室内機内の熱交換器１１上流側もしくは下流側に設置した物理吸着作用を有する多孔体を含む脱臭体１４と、室内機内の空気を室外に放出する換気装置１５を設ける。【選択図】図１
2005265362.tif 000002
【特許請求の範囲】
【請求項１】
室内機と室外機を備えた冷房、暖房、除湿などの機能を有するヒートポンプ式空気調和機において、室内機内の熱交換器上流側もしくは下流側に設置した物理吸着作用を有する多孔体を含む脱臭体と、室内機内の空気を室外に放出する換気装置を設けたヒートポンプ式空気調和機。
【請求項２】
室内機と室外機を備えた冷房、暖房、除湿などの機能を有するヒートポンプ式空気調和機において、室内機内の熱交換器上流側もしくは下流側に設置した物理吸着作用を有する多孔体を含む脱臭体と、室内機内の空気を室外に放出する換気装置を設け、前記空気調和機が一定時間作動する毎に、前記換気装置を一定時間作動させる制御を繰り返し行うヒートポンプ式空気調和機。
【請求項３】
室内機と室外機を備えた冷房、暖房、除湿などの機能を有するヒートポンプ式空気調和機において、室内機内の熱交換器上流側もしくは下流側に設置した物理吸着作用を有する多孔体を含む脱臭体と、室内機内の空気を室外に放出する換気装置を設け、前記空気調和機が一定時間作動する毎に、前記換気装置を一定時間作動させる信号を送るヒートポンプ式空気調和機。
【請求項４】
脱臭体へ空気を送る送風手段を設けた請求項１記載のヒートポンプ式空気調和機。
【請求項５】
脱臭体の加熱手段を設けた請求項１または４記載のヒートポンプ式空気調和機。
【発明の詳細な説明】
【技術分野】
【０００１】
本発明は、ヒートポンプ式空気調和機に関するものである。
【背景技術】
【０００２】
従来、空気調和機には室内空気の悪臭等を除去する目的で脱臭体として脱臭フィルターが設けられている。前記脱臭フォルターには活性炭、ゼオライト等の多孔体が用いられており、物理吸着作用により臭気除去を行うものがあった。そして吸着容量を越え吸着能力が低下した場合には、寿命としてフィルター交換を行っていた。また再生させるタイプのものでは、水洗や光触媒を添加して吸着臭気を脱離、分解するものがあった。
【特許文献１】特開２００１−１５７７０９号公報
【特許文献２】特開平０９−１９６３９９号公報
【発明の開示】
【発明が解決しようとする課題】
【０００３】
しかしながら、上記特許文献１に開示されている脱臭体では、吸着能力が低下してきた場合には、脱臭体の交換をする手間とコストがかかり、利便性が悪かった。また上記特許文献２に開示されている脱臭体では、再生のために天日に干すか、紫外光を発生する光源を必要とするため、手間やコストがかかるという課題を有していた。
【課題を解決するための手段】
【０００４】
前記従来の課題を解決するために本発明の空気調和機は、室内機内の熱交換器上流側もしくは下流側に設置した物理吸着作用を有する多孔体を含む脱臭体と、室内機内の空気を室外に放出する換気装置を設けるものである。この構成により脱臭体に吸着した臭気物質を脱離させることができ、再生が可能となる。
【発明の効果】
【０００５】
本発明の空気調和機は、脱臭体の再生が可能となるので、脱臭体を長寿命化することができ、交換の手間や交換コストを大きく省くことができる。
【発明を実施するための最良の形態】
【０００６】
請求項１に記載の発明は、室内機内の熱交換器上流側もしくは下流側に設置した物理吸着作用を有する多孔体を含む脱臭体と、室内機内の空気を室外に放出する換気装置により、脱臭体に吸着した臭気を脱離させて、脱臭体の吸着性能を回復させ、さらには脱離した臭気を室外へ放出させることができる。
【０００７】
請求項２に記載の発明は、空気調和機が一定時間作動する毎に、換気装置を一定時間作動させる動作を繰り返し行うように制御するもので、空気調和機の使用頻度に合わせて、無駄なく脱臭体の再生を繰り返し行うことができる。
【０００８】
請求項３に記載の発明は、空気調和機が一定時間作動する毎に、前記換気装置を一定時間作動させる信号を送る制御装置を設けるもので、制御装置により自動で脱臭体の再生ができる。
【０００９】
請求項４に記載の発明は、請求項１記載の空気調和機において、脱臭体へ空気を送る送風手段を設けるもので、脱臭体へ多量の空気を送ることで、再生速度を速めることができる。
【００１０】
請求項５に記載の発明は、請求項１または４記載の空気調和機において脱臭体の加熱手段を設けるもので、脱臭体の温度が上昇することで、脱臭体に物理吸着
した臭気が脱離しやすくなり、再生速度を速めることができる。
【００１１】
（実施の形態１）
図１は本発明の第１の実施の形態における空気調和機の室内機の断面図を示すものである。図１において、１０はケーシング、１１は熱交換器、１２はクロスフローファン、１３は風向ルーバー、１４は脱臭体、１５は換気装置である。
【００１２】
図１を用いて説明する。クロスローファン１２は停止状態、風向ルーバー１３は閉状態にして、換気装置１５を動作させる。すると前面から吸い込まれた空気の一部は脱臭体１４を通過、吸着平衡により脱離した吸着臭気は換気装置１５により室外へ放出される。具体的には換気装置にはシロッコファンを用い、換気量が０．２ｍ３／ｍｉｎとなるようにした。脱臭体には縦１０ｃｍ、横２０ｃｍ、厚さ１ｃｍのセラミックペーパー製ハニカム体を、吸着剤にはゼオライトを用い、無機系結合剤のシリカゾルを加えて焼成担持した。
【００１３】
１ｍ３のアクリル容器内に図１の空気調和機を設置、次にアクリル容器内へアンモニアガスを注入して、容器内が５０ｐｐｍとなるようにした。濃度測定にはガス検知管を用いた。その後、空気調和機を２０分間運転した。そのときのアンモニア濃度は０ｐｐｍで検出限界以下であった。その後アクリル容器を開放し、再度アンモニアガスを注入して、容器内が５０ｐｐｍとなるようにし、空気調和機を２０分間運転し、この操作を５０回繰り返し行った。このときのアンモニア濃度は３５ｐｐｍで、臭気除去性能は大きく低下していた。
【００１４】
次にこの空気調和機をアクリル容器から出し、室内の壁に設置した。換気装置１５からの排出空気は室外へ通ずるようにした。そして換気装置１５のみを１時間、２時間、３時間動作させた。各々の換気装置動作後の空気調和機を再度アクリル容器内に設置し臭気除去性能をみたところ、初期５０ｐｐｍのアンモニアは２０分間空気調和機を運転することで、換気装置１時間動作の条件では３０ｐｐｍ、換気装置２時間動作の条件で１６ｐｐｍ、換気装置３時間動作の条件で０ｐｐｍ（検出限界以下）になった。これにより脱臭体が再生されていることが確認された。なお換気空気は室外に排出されるので、空気調和機の室内機近傍でアンモニア臭を感知することもなかった。
【００１５】
（実施の形態２）
図２は本発明の第２の実施の形態における空気調和機の室内機の断面図を示すものである。図２において、１０はケーシング、１１は熱交換器、１２はクロスフローファン、１３は風向ルーバー、１４は脱臭体、１５は換気装置、１６は送風手段、１７は加熱手段である。
【００１６】
図２を用いて説明する。クロスローファン１２は停止状態、風向ルーバー１３は閉状態にして、換気装置１５および送風手段１６を動作させる。送風手段１６で強制的に送り込まれる空気は脱臭体１４を通過、それにともない吸着平衡により脱離した吸着臭気は換気装置１５により室外へ放出される。具体的には換気装置にはシロッコファンを用い、換気量が０．２ｍ３／ｍｉｎとなるようにした。脱臭体には実施の形態１と同様のものを用いた。
【００１７】
１ｍ３のアクリル容器内に図１の空気調和機を設置、次にアクリル容器内へアンモニアガスを注入して、容器内が５０ｐｐｍとなるようにした。濃度測定にはガス検知管を用いた。その後、空気調和機を２０分間運転した。そのときのアンモニア濃度は０ｐｐｍで検出限界以下であった。その後アクリル容器を開放し、再度アンモニアガスを注入して、容器内が５０ｐｐｍとなるようにし、空気調和機を２０分間運転し、この操作を５０回繰り返し行った。このときのアンモニア濃度は３５ｐｐｍで、臭気除去性能は大きく低下していた。
【００１８】
次にこの空気調和機をアクリル容器から出し、室内の壁に設置した。換気装置１５からの排出空気は室外へ通ずるようにした。そして換気装置１５および送風手段１６を１時間、２時間、３時間動作させた。各々の換気装置動作後の空気調和機を再度アクリル容器内に設置し臭気除去性能をみたところ、初期５０ｐｐｍのアンモニアは２０分間空気調和機を運転することで、換気装置１時間動作の条件では２１ｐｐｍ、換気装置２時間動作の条件で０ｐｐｍ（検出限界以下）になった。明らかに実施の形態１と比べて、再生処理時間が短縮された。
【００１９】
また加えて、加熱手段１７を動作させ、送風手段１６による送風空気温度が６０度となるようにして同様の試験を行ったところ、換気装置１時間動作の条件ではアクリル容器内のアンモニア濃度は０ｐｐｍ（検出限界以下）になった。明らかに実施の形態１と比べて、再生処理時間が短縮された。
【産業上の利用可能性】
【００２０】
本発明は、物理吸着による脱臭体の再生を行い、利便性を向上させるもので、
物理吸着の脱臭原理を用いた脱臭装置にも利用できる。
【図面の簡単な説明】
【００２１】
【図１】本発明の実施の形態１におけるヒートポンプ式空気調和機の室内機の断面図
【図２】本発明の実施の形態２におけるヒートポンプ式空気調和機の室内機の断面図
【符号の説明】
【００２２】
１０  ケーシング
１１  熱交換器
１２  クロスフローファン
１３  風向ルーバー
１４  脱臭体
１５  換気装置
１６  送風手段
１７  加熱手段
【図１】
2005265362.tif 000003
【図２】
2005265362.tif 000004